(57)【特許請求の範囲】
【請求項１】
第１面と該第１面の裏側に位置する第２面とを有している第１太陽電池素子と、第３面と該第３面の裏側に位置する第４面とを有している第２太陽電池素子と、を含み且つ第１方向に沿って並んでいる状態で位置している複数の太陽電池素子と、
前記第１面と前記第４面とを電気的に接続している状態で位置している１本以上の第１配線材と、を備え、
前記第１太陽電池素子は、前記第１面と前記第２面とを接続している状態で前記第２太陽電池素子に近接し前記第１方向に向いている第１端面、を有し、
前記第２太陽電池素子は、前記第３面と前記第４面とを接続している状態で前記第１太陽電池素子に近接し前記第１方向とは逆の第２方向に向いている第２端面、を有し、
前記第１面において前記第１端面に沿って位置している第１領域と、前記第４面において前記第２端面に沿って位置している第２領域とが、前記１本以上の第１配線材を挟んでいる状態で重なっており、
前記１本以上の第１配線材のそれぞれは、該第１配線材の長手方向に沿って順に位置している第１部分と第２部分と第３部分とを有し、
前記第１部分が、前記第１面のうちの前記第１領域とは異なる第３領域に接合している状態で存在しており、
前記第３部分が、前記第４面のうちの前記第２領域とは異なる第４領域に接合している状態で存在しており、
前記第２部分は、前記第１領域と前記第２領域との間に位置しているとともに前記第１領域および前記第２領域の何れにも接合していない状態で位置している非接合部を含み、
前記非接合部は、前記第１方向に交差する方向に延びている状態で位置しており、
前記非接合部が、前記第１面および前記第４面に沿って位置しており、
前記非接合部が、前記第１面および前記第４面に平行な面上で曲がっている曲がり部を含む、太陽電池モジュール。
【請求項２】
請求項１に記載の太陽電池モジュールであって、
前記複数の太陽電池素子が、第５面と該第５面の裏側に位置する第６面とを有しており且つ前記第２太陽電池素子から前記第１方向にずれた場所に位置している第３太陽電池素子、を含み、
前記第２太陽電池素子が、前記第３面と前記第４面とを接続している状態で前記第３太陽電池素子に近接し前記第１方向に向いている第３端面、を有し、
前記第３太陽電池素子が、前記第５面と前記第６面とを接続している状態で前記第２太陽電池素子に近接し前記第２方向に向いている第４端面、を有し、
前記第３面において前記第３端面に沿って位置している第５領域と、前記第６面において前記第４端面に沿って位置している第６領域と、が１本以上の第２配線材を挟んでいる状態で重なっており、
前記１本以上の第１配線材のそれぞれの前記第３部分が、前記第４面において前記第４領域から前記第５領域の裏側に位置する第７領域まで位置している、太陽電池モジュール。
【請求項３】
請求項１または請求項２に記載の太陽電池モジュールであって、
前記１本以上の第１配線材のそれぞれが、長手方向に垂直な円形の断面、を有する、太陽電池モジュール。
【請求項４】
請求項１から請求項３の何れか１つの請求項に記載の太陽電池モジュールであって、
前記第１太陽電池素子が、前記第１面と前記第２面とを接続している状態で前記第１方向に沿って位置している第１側面と、前記第１面と前記第２面とを接続している状態で前記第１側面の裏側に位置している第２側面と、を有しており、
前記第２太陽電池素子が、前記第３面と前記第４面とを接続している状態で前記第１方向に沿って位置している第３側面と、前記第３面と前記第４面とを接続している状態で前記第３側面の裏側に位置する第４側面とを有しており、
前記１本以上の第１配線材が、１本目の第１配線材と、２本目の第１配線材と、を含み、
前記第１太陽電池素子を前記第１面側から平面視したときに、前記１本目の第１配線材の前記第１部分が、前記第１側面と前記第２側面との中間に位置する仮想的な第１中間線と前記第１側面との中間に位置する仮想的な第１の４半分線に沿って位置しているとともに、前記２本目の第１配線材の前記第１部分が、前記仮想的な第１中間線と前記第２側面との中間に位置する仮想的な第２の４半分線に沿って位置しており、
前記第２太陽電池素子を前記第４面側から平面視したときに、前記１本目の第１配線材の前記第３部分が、前記第３側面と前記第４側面との中間に位置する仮想的な第２中間線と前記第３側面との中間に位置する仮想的な第３の４半分線から前記第３側面側または前記第４側面側にずれて位置する仮想的な第１Ａ仮想線に沿って位置しているとともに、前記２本目の第１配線材の前記第３部分が、前記仮想的な第２中間線と前記第４側面との中間に位置する仮想的な第４の４半分線から前記第３側面側または前記第４側面側にずれて位置する仮想的な第２Ａ仮想線に沿って位置している、太陽電池モジュール。
【請求項５】
請求項１から請求項３の何れか１つの請求項に記載の太陽電池モジュールであって、
前記第１太陽電池素子が、前記第１面と前記第２面とを接続している状態で前記第１方向に沿って位置している第１側面と、前記第１面と前記第２面とを接続している状態で前記第１側面の裏側に位置している第２側面と、を有しており、
前記第２太陽電池素子が、前記第３面と前記第４面とを接続している状態で前記第１方向に沿って位置している第３側面と、前記第３面と前記第４面とを接続している状態で前記第３側面の裏側に位置している第４側面と、を有しており、
前記１本以上の第１配線材が、１本目の第１配線材と、２本目の第１配線材と、を含み、
前記第１太陽電池素子を前記第１面側から平面視したときに、前記第１側面と前記第２側面との中間に位置する仮想的な第１中間線と前記第１側面との中間に位置する仮想的な第１の４半分線から前記第１側面側または前記第２側面側に向けた第１ずれ方向にずれて位置する仮想的な第１Ｂ仮想線に沿って、前記１本目の第１配線材の前記第１部分が位置しているとともに、前記仮想的な第１中間線と前記第２側面との中間に位置する仮想的な第２の４半分線から前記第１側面側または前記第２側面側に向けた第２ずれ方向にずれて位置する仮想的な第２Ｂ仮想線に沿って、前記２本目の第１配線材の前記第１部分が位置しており、
前記第２太陽電池素子を前記第４面側から平面視したときに、前記第３側面と前記第４側面との中間に位置する仮想的な第２中間線と前記第３側面との中間に位置する仮想的な第３の４半分線を基準として前記第１ずれ方向とは逆の第３ずれ方向にずれて位置する仮想的な第３Ｂ仮想線に沿って、前記１本目の第１配線材の前記第３部分が位置しているとともに、前記仮想的な第２中間線と前記第４側面との中間に位置する仮想的な第４の４半分線を基準として前記第２ずれ方向とは逆の第４ずれ方向にずれて位置する仮想的な第４Ｂ仮想線に沿って、前記２本目の第１配線材の前記第３部分が位置している、太陽電池モジュール。
【発明の詳細な説明】
【技術分野】
【０００１】
本開示は、太陽電池モジュールに関する。
【背景技術】
【０００２】
太陽電池モジュールは、一般に、直列に接続された複数の太陽電池素子を含む太陽電池ストリングが、充填材とともに、透光性基板と裏面シートとで挟まれた構造を有する。【０００３】
太陽電池ストリングにおいて、例えば、間隙部を設けて並べられた隣り合う太陽電池素子同士が接続導体などで接続されれば、該間隙部が、発電に寄与しない領域となる。このため、該間隙部の存在により、太陽電池モジュールの受光面において発電に寄与する領域が占める面積の割合が小さくなる。その結果、太陽電池モジュールにおいて入射した光のエネルギーのうち電気エネルギーに変換される割合を示す変換効率が低下する。【０００４】
そこで、隣り合う太陽電池素子の一部同士が重ねられた部分で、第１の太陽電池素子における表面の電極と第２の太陽電池素子における裏面の電極とが半田などの接合材で接続された太陽電池モジュールが提案されている（例えば、特開昭５９−３９８０号公報および特開２０１４−８６５１０号公報の記載を参照）。
【発明の概要】
【０００５】
太陽電池モジュールが開示される。
【０００６】
太陽電池モジュールの一態様は、複数の太陽電池素子と、１本以上の第１配線材と、を備える。前記複数の太陽電池素子は、第１面と該第１面の裏側に位置する第２面とを有している第１太陽電池素子と、第３面と該第３面の裏側に位置する第４面とを有している第２太陽電池素子と、を含み且つ第１方向に沿って並んでいる状態で位置している。前記１本以上の第１配線材は、前記第１面と前記第４面とを電気的に接続している状態で位置している。前記第１太陽電池素子は、前記第１面と前記第２面とを接続している状態で前記第２太陽電池素子に近接し前記第１方向に向いている第１端面、を有する。前記第２太陽電池素子は、前記第３面と前記第４面とを接続している状態で前記第１太陽電池素子に近接し前記第１方向とは逆の第２方向に向いている第２端面、を有する。前記第１面において前記第１端面に沿って位置している第１領域と、前記第４面において前記第２端面に沿って位置している第２領域とが、前記１本以上の第１配線材を挟んでいる状態で重なっている。前記１本以上の第１配線材のそれぞれは、該第１配線材の長手方向に沿って順に位置している第１部分と第２部分と第３部分とを有する。前記第１部分が、前記第１面のうちの前記第１領域とは異なる第３領域に接合している状態で存在している。前記第３部分が、前記第４面のうちの前記第２領域とは異なる第４領域に接合している状態で存在している。前記第２部分は、前記第１領域と前記第２領域との間に位置しているとともに前記第１領域および前記第２領域の何れにも接合していない状態で位置している非接合部を含む。前記非接合部は、前記第１方向に交差する方向に延びている状態で位置している。前記非接合部が、前記第１面および前記第４面に沿って位置している。前記非接合部が、前記第１面および前記第４面に平行な面上で曲がっている曲がり部を含む。
【図面の簡単な説明】
【０００７】
【図１】図１は、太陽電池モジュールの一例の構成を示す平面図である。
【図２】図２は、太陽電池モジュールの一例の構成を示す裏面図である。
【図３】図３は、図１のIII−III線に沿った太陽電池モジュールの断面を示す断面図である。
【図４】図４は、太陽電池素子の一例の構成を示す平面図である。
【図５】図５は、太陽電池素子の一例の構成を示す裏面図である。
【図６】図６は、図４のVI−VI線に沿った太陽電池素子の断面を示す断面図である。
【図７】図７は、太陽電池ストリングの一例の構成の一部を示す分解斜視図である。
【図８】図８は、太陽電池ストリングの一例の構成の一部を示す平面図である。
【図９】図９は、太陽電池ストリングの一例の構成の一部を示す裏面図である。
【図１０】図１０は、配線材の一例の構成を示す平面図である。
【図１１】図１１は、図１０、図２６および図２７のXI−XI線に沿った配線材の断面を示す断面図である。
【図１２】図１２は、配線材が変形する様子の一例を示す平面図である。
【図１３】図１３は、配線材が変形する様子の一例を示す平面図である。
【図１４】図１４は、配線材の一例の構成を示す平面図である。
【図１５】図１５は、図１４、図１６、図２８および図２９のXV−XV線に沿った配線材の断面を示す断面図である。
【図１６】図１６は、配線材の一例の構成を示す平面図である。
【図１７】図１７は、太陽電池モジュールの製造フローの一例を示す流れ図である。
【図１８】図１８は、太陽電池モジュールの製造途中の様子を示す図である。
【図１９】図１９は、太陽電池ストリングの一例の構成の一部を示す平面図である。
【図２０】図２０は、図１９のXX−XX線に沿った太陽電池ストリングの一部の断面を示す断面図である。
【図２１】図２１は、配線材が変形する様子の一例を示す平面図である。
【図２２】図２２は、配線材が変形する様子の一例を示す平面図である。
【図２３】図２３は、太陽電池素子の一例の構成の一部を示す裏面図である。
【図２４】図２４は、太陽電池ストリングの一例の構成の一部を示す平面図である。
【図２５】図２５は、太陽電池ストリングの一例の構成の一部を示す裏面図である。
【図２６】図２６は、配線材の一例の構成を示す平面図である。
【図２７】図２７は、配線材の一例の構成を示す平面図である。
【図２８】図２８は、配線材の一例の構成を示す平面図である。
【図２９】図２９は、配線材の一例の構成を示す平面図である。
【図３０】図３０は、太陽電池素子の一例の構成を示す平面図である。
【図３１】図３１は、太陽電池素子の一例の構成を示す裏面図である。
【図３２】図３２は、太陽電池ストリングの一例の構成の一部を示す平面図である。
【図３３】図３３は、太陽電池ストリングの一例の構成の一部を示す裏面図である。
【発明を実施するための形態】
【０００８】
太陽電池モジュールについては、例えば、変換効率を向上させるために、隣り合う太陽電池素子の一部同士を重ねることが考えられる。このような構成は、第１の太陽電池素子と第２の太陽電池素子とが重ねられた重なり部分において、第１の太陽電池素子における表面の電極と第２の太陽電池素子における裏面の電極とを半田などの接合材によって電気的に接続することで実現され得る。
【０００９】
しかしながら、このような太陽電池モジュールでは、日光の照射、気温の変動、降雨および降雪などによる温度の変化に応じて、太陽電池素子および充填材の、膨張および収縮が生じ、前述の重なり部分の接合材においてせん断応力の集中が生じるおそれがある。接合材にせん断応力が集中すると、接合材および太陽電池素子の半導体基板にクラックが生じるおそれがあり、接合材が接合された電極が半導体基板から剥離するおそれがある。このため、太陽電池モジュールの信頼性および出力の向上には改善の余地がある。
【００１０】
また、例えば、前述の重なり部分において、第１の太陽電池素子における表面の電極と第２の太陽電池素子における裏面の電極とが接合材で接続される。このため、第１の太陽電池素子の表面側においてバスバー電極とフィンガー電極とによる集電が行われる構成では、集電が十分ではない。このような観点からも、太陽電池モジュールの出力の向上には改善の余地がある。
【００１１】
そこで、本願発明者らは、太陽電池モジュールにおける変換効率および信頼性を高めることができる技術を創出した。これについて、以下、各実施形態を図面に基づいて説明する。
【００１２】
図面においては同様な構成および機能を有する部分については同じ符号が付されており、下記説明では重複説明が省略される。また、図面は模式的に示されたものである。図１から図１６および図１８から図３３には、右手系のＸＹＺ座標系が付されている。該ＸＹＺ座標系では、太陽電池ストリング５において複数の太陽電池素子２が並んでいる方向（第１方向ともいう）が＋Ｙ方向とされ、複数の太陽電池ストリング５が並ぶ方向が＋Ｘ方向とされ、＋Ｘ方向と＋Ｙ方向との両方に直交する方向が＋Ｚ方向とされている。
【００１３】
＜１．第１の実施形態＞
＜１−１．太陽電池モジュール＞
第１の実施形態に係る太陽電池モジュール１を、図１から図１１に基づいて説明する。
【００１４】
図１から図３で示されるように、太陽電池モジュール１は、例えば、透光性基板３と、封止材４と、複数（ここでは、５つ）の太陽電池ストリング５と、裏面保護部材としてのシート部材６と、電源ボックスＢｘ１，Ｂｘ２とを備えている。封止材４には、例えば、太陽電池モジュール１の表面側に位置している第１封止材（表面側封止材ともいう）４ｕと、太陽電池モジュール１の裏面側に位置している第２封止材（裏面側封止材ともいう）４ｂと、が含まれている。
【００１５】
図３の例では、太陽電池モジュール１において、透光性基板３、表面側封止材４ｕ、複数の太陽電池ストリング５、裏面側封止材４ｂおよびシート部材６が、ここで記載した順に−Ｚ方向に積み重なるように位置している。このため、透光性基板３と、表面側封止材４ｕと、太陽電池ストリング５と、裏面側封止材４ｂと、シート部材６と、を含む積層体１ｓｔが形成されている。電源ボックスＢｘ１，Ｂｘ２は、シート部材６の−Ｚ側の面（裏面とも言う）上に位置している。電源ボックスＢｘ１，Ｂｘ２は、複数の太陽電池ストリング５に電気的に接続されている。電源ボックスＢｘ１，Ｂｘ２は、複数の太陽電池ストリング５において光電変換で得られる電圧および電流を、ケーブルＣｂ１，Ｃｂ２によって出力することができる。
【００１６】
太陽電池モジュール１では、積層体１ｓｔの外周に沿って環状の枠体が位置していてもよいし、位置していなくてもよい。ここで、太陽電池モジュール１を＋Ｚ側から平面視した場合に、太陽電池モジュール１が矩形の外縁を有していれば、該枠体としては、例えば、矩形状の内縁と矩形状の外縁と有する環状の枠体が採用され得る。
【００１７】
次に、太陽電池モジュール１における各部材について説明する。
【００１８】
＜１−１−１．透光性基板＞
透光性基板３は、例えば、平板状の部材である。図１の例では、透光性基板３を＋Ｚ側から平面視した場合に、透光性基板３は矩形状の外縁を有している。透光性基板３は、複数の太陽電池ストリング５を保護することができる。透光性基板３の＋Ｚ側の表面は、太陽電池モジュール１の＋Ｚ側の表面を構成し、太陽電池モジュール１において光を受光する面（受光面ともいう）１ｕとしての役割を果たすことができる。ここで、透光性基板３が透光性を有することで、光が透光性基板３を透過して、複数の太陽電池ストリング５に入射される。これにより、複数の太陽電池ストリング５において光電変換による発電が実現され得る。透光性基板３の素材として、例えば、ガラスあるいはアクリルまたはポリカーボネートなどの樹脂が採用されれば、透光性を有する透光性基板３が実現され得る。ここで、ガラスには、例えば、厚さが２ｍｍから５ｍｍ程度の白板ガラス、強化ガラスおよび熱線反射ガラスなどといった光透過率の高い材料が採用され得る。
【００１９】
＜１−１−２．封止材＞
表面側封止材４ｕおよび裏面側封止材４ｂは、例えば、複数の太陽電池ストリング５を保持する充填材としての役割と、複数の太陽電池ストリング５を封止する封止材としての役割と、を果たすことができる。表面側封止材４ｕおよび裏面側封止材４ｂは、例えば、熱硬化性樹脂などによって構成され得る。熱硬化性樹脂としては、例えば、エチレン酢酸ビニル共重合体（ＥＶＡ）あるいはポリビニルブチラール（ＰＶＢ）を主成分とするものが採用される。熱硬化性樹脂には、架橋剤が含有されてもよい。
【００２０】
＜１−１−３．太陽電池ストリング＞
各太陽電池ストリング５は、例えば、第１方向（ここでは、＋Ｙ方向）に沿って並んでいる複数（ここでは、４つ）の太陽電池素子２と、複数本の配線材８とを含んでいる。
【００２１】
＜１−１−３−１．太陽電池素子＞
太陽電池素子２は、入射される太陽光を電気に変換することができる。図４および図５で示されるように、太陽電池素子２は、＋Ｚ側の面（素子表面ともいう）２ｕと、該素子表面２ｕの裏側に位置する−Ｚ側の面（素子裏面ともいう）２ｂと、を有している。ここでは、例えば、太陽電池素子２の素子表面２ｕ側に主として光が入射される太陽電池モジュール１の受光面１ｕが位置している。また、例えば、太陽電池素子２の素子裏面２ｂ側に主として光が入射されない太陽電池モジュール１の非受光面１ｂが位置している。
【００２２】
図４から図６の例では、各太陽電池素子２において、素子表面２ｕおよび素子裏面２ｂは、それぞれ矩形状の外形を有している。具体的には、太陽電池素子２が素子表面２ｕ側から平面視されると、太陽電池素子２の外形は、例えば、＋Ｘ方向に沿った一対の２辺と、＋Ｙ方向に沿った一対の２辺とを含む４辺を有する長方形状である。
【００２３】
各太陽電池素子２は、例えば、半導体基板２ｓと、絶縁層２ｇと、表面側バスバー電極２ｈと、フィンガー電極２ｊと、取出電極（裏面側バスバー電極とも言う）２ｉと、集電電極２ｋと、を有する。
【００２４】
半導体基板２ｓには、例えば、結晶シリコンなどの結晶系の半導体、アモルファスシリコンなどの非晶質系の半導体、銅とインジウムとガリウムとセレンの４種類の元素を用いた化合物半導体、カドミウムテルル（ＣｄＴｅ）を用いた化合物半導体などが適用され得る。ここで、例えば、半導体基板２ｓが多結晶シリコンであれば、太陽電池素子２における一辺が１００ｍｍから２００ｍｍ程度に設定され得る。
【００２５】
半導体基板２ｓは、例えば、第１導電型を有する第１導電型領域２ｏと、第２導電型層２ｒと、ＢＳＦ領域２ｌとを有している。
【００２６】
第１導電型領域２ｏは、予め設定されたドーパント元素（導電型制御用の不純物）を含有することで第１導電型を呈している。
【００２７】
第２導電型層２ｒは、例えば、半導体基板２ｓの素子表面２ｕ側に位置しており且つ該半導体基板２ｓの第１導電型とは逆の第２導電型を有している。ここでは、例えば、第１導電型がｐ型であり且つ第２導電型がｎ型である場合、および第１導電型がｎ型であり且つ第２導電型がｐ型である場合が考えられる。そして、第１導電型の領域と第２導電型の領域との間には、ｐｎ接合領域が形成されている。ここで、例えば、半導体基板２ｓがｐ型の導電型を有する結晶シリコン基板であれば、例えば、該結晶シリコン基板のうちの素子表面２ｕ側の面（基板表面ともいう）２ｓ１にリンなどの不純物を拡散させることで第２導電型層２ｒが形成され得る。
【００２８】
ＢＳＦ領域２ｌは、例えば、半導体基板２ｓのうちの素子裏面２ｂ側に位置しており且つ該半導体基板２ｓと同様な第１導電型を有している。ここでは、例えば、半導体基板２ｓの素子裏面２ｂ側の表層部に、ドーパント元素の濃度が元の半導体基板２ｓよりも高められたＢＳＦ領域２ｌが形成されている。このため、例えば、第１導電型がｐ型であれば、ＢＳＦ領域２ｌには、より多くのｐ型のキャリアが含まれる。ＢＳＦ領域２ｌは、例えば、半導体基板２ｓのうちの素子裏面２ｂ側の面（基板裏面ともいう）２ｓ２側に内部電界を形成することができる。このため、ＢＳＦ領域２ｌは、半導体基板２ｓのうちの基板裏面２ｓ２の近くの領域におけるキャリアの再結合の発生を低減させて、光電変換の効率の低下を低減させる機能を有している。
【００２９】
絶縁層２ｇは、例えば、第２導電型層２ｒ上のうち、表面側バスバー電極２ｈおよびフィンガー電極２ｊが形成されていない領域に位置している。絶縁層２ｇの素材としては、例えば、窒化シリコン、酸化チタンまたは酸化シリコンなどが採用され得る。該絶縁層２ｇは、例えば、ＰＥＣＶＤ（plasma enhanced chemical vapor deposition）法、蒸着法またはスパッタリング法などによって形成され得る。
【００３０】
表面側バスバー電極２ｈおよびフィンガー電極２ｊは、例えば、半導体基板２ｓにおける基板表面２ｓ１上に位置している。図４および図６の例では、基板表面２ｓ１上に、略平行な２本の表面側バスバー電極２ｈが位置しており、略平行な多数本のフィンガー電極２ｊが、例えば、２本の表面側バスバー電極２ｈに略直交するように位置している。表面側バスバー電極２ｈは、例えば、１．３ｍｍから２．５ｍｍ程度の幅を有している。フィンガー電極２ｊは、例えば、５０μｍから２００μｍ程度の幅を有している。つまり、フィンガー電極２ｊの幅は、表面側バスバー電極２ｈの幅よりも小さい。また、複数のフィンガー電極２ｊが、互いに１．５ｍｍから３ｍｍ程度の間隔を空けて位置している。これらの表面側バスバー電極２ｈおよびフィンガー電極２ｊの厚さは、１０μｍから４０μｍ程度に設定され得る。表面側バスバー電極２ｈおよびフィンガー電極２ｊは、例えば、主として銀を含有する導電性ペーストがスクリーン印刷などで所望の形状に塗布された後に焼成されることで、形成され得る。
【００３１】
裏面側バスバー電極２ｉおよび集電電極２ｋは、例えば、半導体基板２ｓにおける基板裏面２ｓ２上に位置している。図５および図６の例では、太陽電池素子２において、基板裏面２ｓ２上に略平行な２列の裏面側バスバー電極２ｉが位置している。また、基板裏面２ｓ２上のうちの裏面側バスバー電極２ｉが位置していない領域の略全面に集電電極２ｋが位置している。ここで、２列の裏面側バスバー電極２ｉのそれぞれは、例えば、一体の線状の電極であってもよいし、一列に並ぶ複数（ここでは、４つ）の電極によって構成されていてもよい。また、例えば、２列の裏面側バスバー電極２ｉのそれぞれは、半導体基板２ｓを挟んで表面側バスバー電極２ｈの逆側に位置している。裏面側バスバー電極２ｉは、例えば、１０μｍから３０μｍ程度の厚さを有し、１．３ｍｍから７ｍｍ程度の幅を有する。裏面側バスバー電極２ｉは、前述の表面側バスバー電極２ｈと同等の材質および製法で形成され得る。集電電極２ｋは、例えば、１５μｍから５０μｍ程度の厚さを有する。集電電極２ｋは、例えば、主としてアルミニウムを含有する導電性ペーストとしてのアルミニウムペーストが所望の形状に塗布された後に焼成されることで、形成され得る。
【００３２】
＜１−１−３−２．配線材＞
図１および図３で示されるように、配線材８は、隣り合う太陽電池素子２のうちの一方の太陽電池素子２の素子表面２ｕと他方の太陽電池素子２の素子裏面２ｂとを電気的に接続している。
【００３３】
図３の例では、各太陽電池ストリング５において、複数の太陽電池素子２が順に並んでいる。具体的には、複数の太陽電池素子２は、４つの太陽電池素子２としての１番目から４番目の太陽電池素子２１，２２，２３，２４を含んでいる。また、各太陽電池ストリング５には、隣接する太陽電池素子２同士を電気的に接続する３対の配線材８としての１対目から３対目の配線材８１，８２，８３が含まれている。
【００３４】
１番目の太陽電池素子（第１太陽電池素子ともいう）２１の素子表面２ｕと２番目の太陽電池素子（第２太陽電池素子ともいう）２２の素子裏面２ｂとが接続用の１対目の配線材（第１配線材ともいう）８１で電気的に接続されている。第２太陽電池素子２２の素子表面２ｕと３番目の太陽電池素子（第３太陽電池素子ともいう）２３の素子裏面２ｂとが接続用の２対目の配線材（第２配線材ともいう）８２で電気的に接続されている。第３太陽電池素子２３の素子表面２ｕと４番目の太陽電池素子（第４太陽電池素子ともいう）２４の素子裏面２ｂとが接続用の３対目の配線材（第３配線材ともいう）８３で電気的に接続されている。これにより、例えば、各太陽電池ストリング５に含まれる４つの太陽電池素子２が電気的に直列に接続され得る。
【００３５】
配線材８の形状としては、例えば、線状または帯状が採用され得る。配線材８の素材としては、例えば、導電性を有する金属などが採用され得る。ここでは、例えば、配線材８として、０．５ｍｍから１ｍｍ程度の径を有する銅の線材の全面に半田が被覆されたものが採用され得る。
【００３６】
配線材８は、例えば、はんだ付けによる接合によって、表面側バスバー電極２ｈおよび裏面側バスバー電極２ｉのそれぞれに電気的に接続される。また、図１の例では、第１方向（ここでは、＋Ｙ方向）に交差する方向（ここでは、＋Ｘ方向）において隣接する太陽電池ストリング５同士は、接続部材１０で電気的に接続されている。接続部材１０は、例えば、配線材８と同等の材料で形成され得る。
【００３７】
＜１−１−３−３．隣接する太陽電池素子同士の接続形態＞
ここで、第１の実施態様に係る太陽電池ストリング５において相互に隣接する太陽電池素子２の間における電気的な接続形態を、図１、図３および図７から図１１に基づいて説明する。図７には、太陽電池ストリング５に含まれる相互に隣接する３つの太陽電池素子２における電気的な接続形態が示されている。図８および図９には、太陽電池ストリング５に含まれる相互に隣接する２つの太陽電池素子２における電気的な接続形態が示されている。
【００３８】
図１および図３で示されるように、各太陽電池ストリング５では、隣接する太陽電池素子２同士の一部が相互に重なり合っている。例えば、図３で示されるように、第１太陽電池素子２１の＋Ｙ側の端部近傍の部分の上に、第２太陽電池素子２２の−Ｙ側の端部近傍の部分が重なっている。また、例えば、第２太陽電池素子２２の＋Ｙ側の端部近傍の部分の上に、第３太陽電池素子２３の−Ｙ側の端部近傍の部分が重なっている。また、例えば、第３太陽電池素子２３の＋Ｙ側の端部近傍の部分の上に、第４太陽電池素子２４の−Ｙ側の端部近傍の部分が重なっている。換言すれば、第２太陽電池素子２２が、第１太陽電池素子２１から第１方向（ここでは、＋Ｙ方向）にずれた場所に位置しており、第３太陽電池素子２３が、第２太陽電池素子２２から第１方向（ここでは、＋Ｙ方向）にずれた場所に位置している。これにより、太陽電池モジュール１において、受光面１ｕの全領域の面積に対する、太陽電池素子２で有効に発電が行われる領域（発電領域ともいう）が占める面積の比率が高まり得る。
【００３９】
図７から図９の例では、例えば、第１太陽電池素子２１は、素子表面２ｕである第１面Ｓｆ１と、該第１面Ｓｆ１の裏側に位置する素子裏面２ｂである第２面Ｓｆ２と、を有している。また、例えば、第２太陽電池素子２２は、素子表面２ｕである第３面Ｓｆ３と、該第３面Ｓｆ３の裏側に位置する素子裏面２ｂである第４面Ｓｆ４と、を有している。そして、例えば、１対の第１配線材８１が、第１太陽電池素子２１の第１面Ｓｆ１と、第２太陽電池素子２２の第４面Ｓｆ４と、を電気的に接続している。ここでは、例えば、各第１配線材８１が、第１面Ｓｆ１の表面側バスバー電極２ｈと、第４面Ｓｆ４の裏面側バスバー電極２ｉと、を電気的に接続している。
【００４０】
また、第１太陽電池素子２１は、例えば、第１面Ｓｆ１と第２面Ｓｆ２とを接続しており且つ第１方向（ここでは、＋Ｙ方向）の側（ここでは、＋Ｙ側）に位置している端面（第１端面ともいう）ＥＳ１を有している。第１の実施形態では、第１太陽電池素子２１は、第１面Ｓｆ１と第２面Ｓｆ２とを接続している４つの端面を有している。該４つの端面は、例えば、第１方向（ここでは、＋Ｙ方向）に沿って延びている状態で位置する一対の端面と、第１方向に直交する＋Ｘ方向に沿って延びている状態で位置する一対の端面と、によって構成される。より具体的には、該４つの端面には、第１太陽電池素子２１において、＋Ｘ側において＋Ｙ方向に沿って延びている状態で位置する端面と、−Ｘ側において＋Ｙ方向に沿って延びている状態で位置する端面と、＋Ｙ側において＋Ｘ方向に沿って延びている状態で位置する端面と、−Ｙ側において＋Ｘ方向に沿って延びている状態で位置する端面と、が含まれる。
【００４１】
第２太陽電池素子２２は、例えば、第３面Ｓｆ３と第４面Ｓｆ４とを接続しており且つ第１方向（ここでは、＋Ｙ方向）とは逆の第２方向（ここでは、−Ｙ方向）の側（ここでは、−Ｙ側）に位置している端面（第２端面ともいう）ＥＳ２を有している。第１の実施形態では、第２太陽電池素子２２は、第３面Ｓｆ３と第４面Ｓｆ４とを接続している４つの端面を有している。該４つの端面は、例えば、第１方向（ここでは、＋Ｙ方向）に沿って延びている状態で位置する一対の端面と、第１方向に直交する＋Ｘ方向に沿って延びている状態で位置する一対の端面と、によって構成される。より具体的には、該４つの端面には、第２太陽電池素子２２において、＋Ｘ側において＋Ｙ方向に沿って延びている状態で位置する端面と、−Ｘ側において＋Ｙ方向に沿って延びている状態で位置する端面と、＋Ｙ側において＋Ｘ方向に沿って延びている状態で位置する端面と、−Ｙ側において＋Ｘ方向に沿って延びている状態で位置する端面と、が含まれる。
【００４２】
第１太陽電池素子２１と第２太陽電池素子２２との間においては、例えば、第１太陽電池素子２１の第１領域ＡＲ１と、第２太陽電池素子２２の第２領域ＡＲ２とが、１対の第１配線材８１を挟んでいる状態で重なっている。ここで、第１領域ＡＲ１は、第１面Ｓｆ１において第１端面ＥＳ１に沿って位置している。第２領域ＡＲ２は、第４面Ｓｆ４において第２端面ＥＳ２に沿って位置している。第１の実施形態では、第１領域ＡＲ１は、第１端面ＥＳ１から第２方向（−Ｙ方向）において第１の幅を有しており、第１端面ＥＳ１に沿って第１面Ｓｆ１の−Ｘ側の端部から＋Ｘ側の端部に至るまで延びている状態で位置している。また、第２領域ＡＲ２は、第２端面ＥＳ２から第１方向（＋Ｙ方向）において第１の幅を有しており、第２端面ＥＳ２に沿って第４面Ｓｆ４の−Ｘ側の端部から＋Ｘ側の端部に至るまで延びている状態で位置している。第１の幅は、例えば、数ｍｍ以上で且つ２０ｍｍ以下に設定され得る。
【００４３】
ここでは、図８から図１０で示されるように、各第１配線材８１は、該第１配線材８１の長手方向に沿って順に位置している第１部分Ｐ１と第２部分Ｐ２と第３部分Ｐ３とを有している。
【００４４】
第１部分Ｐ１は、例えば、第１太陽電池素子２１の第１面Ｓｆ１において第１領域ＡＲ１よりも第２方向（ここでは、−Ｙ方向）の側（ここでは、−Ｙ側）に位置している領域（第３領域ともいう）ＡＲ３に接合している状態で存在している。具体的には、第１配線材８１は、例えば、第１面Ｓｆ１のうちの第２太陽電池素子２２が重なっていない領域において、表面側バスバー電極２ｈに対して電気的に接続されている。第１の実施形態では、第３領域ＡＲ３は、例えば、第１面Ｓｆ１のうちの第１領域ＡＲ１を除く残余の領域に設定され得る。
【００４５】
第３部分Ｐ３は、例えば、第２太陽電池素子２２の第４面Ｓｆ４において第２領域ＡＲ２よりも第１方向（ここでは、＋Ｙ方向）の側（ここでは、＋Ｙ側）に位置している領域（第４領域ともいう）ＡＲ４に接合している状態で存在している。具体的には、第１配線材８１は、例えば、第４面Ｓｆ４のうちの第１太陽電池素子２１が重なっていない領域において、裏面側バスバー電極２ｉに対して電気的に接続されている。第１の実施形態では、第４領域ＡＲ４は、第４面Ｓｆ４のうち、第２領域ＡＲ２を除く残余の領域に設定され得る。
【００４６】
換言すれば、例えば、隣接する第１太陽電池素子２１および第２太陽電池素子２２のうちの重なっていない領域に第１配線材８１が接合されている状態で位置している。このため、例えば、第１太陽電池素子２１の表面側バスバー電極２ｈおよび第２太陽電池素子２２の裏面側バスバー電極２ｉの上に第１配線材８１が接合されている状態で位置している。これにより、例えば、集めた電荷の通る導電部の断面積が大きくなる。このため、第１太陽電池素子２１および第２太陽電池素子２２における電荷の取り出しが補助され得る。その結果、例えば、太陽電池モジュール１における出力が向上し得る。
【００４７】
そして、第２部分Ｐ２は、例えば、第１領域ＡＲ１および第２領域ＡＲ２の何れにも接合していない状態で位置している非接合部ＡＣ２を含んでいる。ここで、非接合部ＡＣ２は、例えば、第１領域ＡＲ１と第２領域ＡＲ２との間に位置している。また、非接合部ＡＣ２は、第１面Ｓｆ１および第４面Ｓｆ４に平行な面上で曲がっている曲がり部ＣＰ２を有し、第１方向（ここでは、＋Ｙ方向）に交差するように位置している。
【００４８】
ここで、例えば、温度の変化に応じて第１太陽電池素子２１および第２太陽電池素子２２ならびに第１配線材８１などが熱膨張および熱収縮を生じる場合を想定する。この場合、例えば、図１０、図１２および図１３で示されるように、第１配線材８１のうちの第１太陽電池素子２１および第２太陽電池素子２２に接合されていない第２部分Ｐ２が変形することができる。このため、例えば、温度の変化に応じて第１太陽電池素子２１および第２太陽電池素子２２ならびに第１配線材８１などが熱膨張および熱収縮を生じても、第１太陽電池素子２１および第２太陽電池素子２２と第１配線材８１とが接合している部分において、せん断応力の集中が生じ難い。その結果、例えば、第１配線材８１、第１太陽電池素子２１および第２太陽電池素子２２におけるクラックの発生、ならびに第１配線材８１が接合された表面側バスバー電極２ｈおよび裏面側バスバー電極２ｉの剥離などが生じ難い。
【００４９】
したがって、上記構成が採用されば、太陽電池モジュール１における変換効率および信頼性が高められ得る。第２部分Ｐ２の変形としては、主として弾性変形が想定されるが、第２部分Ｐ２の変形には塑性変形が含まれてもよい。
【００５０】
図７から図１０の例では、非接合部ＡＣ２が、湾曲するように曲がっている部分（曲がり部ともいう）ＣＰ２を含んでいる。このような構成が採用されれば、例えば、第１太陽電池素子２１および第２太陽電池素子２２ならびに第１配線材８１などの第１方向（ここでは、＋Ｙ方向）における熱膨張および熱収縮に応じて、第１配線材８１の非接合部ＡＣ２が変形し易い。このため、例えば、第１太陽電池素子２１、第２太陽電池素子２２および第１配線材８１において、せん断応力の集中が生じ難い。曲がり部ＣＰ２は、例えば、屈曲などといった、湾曲以外の形態で曲がっている部分であってもよい。
【００５１】
また、図７から図１０の例では、非接合部ＡＣ２が、第１面Ｓｆ１および第４面Ｓｆ４に沿って位置している。このような構成が採用されれば、例えば、第１太陽電池素子２１と第２太陽電池素子２２との重なり部分の厚さが大きくなり難い。その結果、太陽電池モジュール１の厚さが大きくなり難い。
【００５２】
また、図７から図１０の例では、図１１で示されるように、配線材８が、例えば、長手方向に対して垂直な円形の断面を有している。このような構成が採用されれば、例えば、円形の断面を有する配線材８は、隣接する第１太陽電池素子２１および第２太陽電池素子２２における第１面Ｓｆ１および第４面Ｓｆ４に沿って変形し易い。このため、例えば、第１太陽電池素子２１および第２太陽電池素子２２と第１配線材８１とが接合している部分にせん断応力が集中し難い。円形の断面には、例えば、真円の断面だけでなく、楕円の断面なども含まれ得る。
【００５３】
ここで、第２部分Ｐ２において曲がり部ＣＰ２を有する配線材８は、例えば、太陽電池素子２に対して接合される前における各種加工によって準備され得る。例えば、円形の断面を有する配線材８については、例えば、単純な曲げ加工によって、第２部分Ｐ２において曲がり部ＣＰ２を有する配線材８が容易に実現され得る。
【００５４】
図１４および図１５で示されるように、例えば、長手方向に直交する面で切断した断面が長方形状である配線材８が採用されてもよい。つまり、配線材８の形状は、帯状であってもよい。ここでは、例えば、導電性を有する金属製の帯に対して、ロールフォーミングまたは逐次打点曲げなどと称される加工が施されることで、曲がり部ＣＰ２を有する配線材８が製作され得る。また、例えば、導電性を有する金属製の板またはシートに対して、打ち抜き加工が施されることで、曲がり部ＣＰ２を有する配線材８が製作されてもよい。また、図１６で示されるように、例えば、複数の帯状の部分ＦＬ１，ＦＬ２，ＦＬ３，ＦＬ４，ＦＬ５が連結されることで、曲がり部ＣＰ２を有する一本の帯状の配線材８が実現されてもよい。
【００５５】
また、図７から図９の例では、第２太陽電池素子２２は、例えば、第３面Ｓｆ３と第４面Ｓｆ４とを接続していており且つ第１方向（ここでは、＋Ｙ方向）の側（ここでは、＋Ｙ側）に位置している端面（第３端面ともいう）ＥＳ３を有している。
【００５６】
第３太陽電池素子２３は、素子表面２ｕである第５面Ｓｆ５と、該第５面Ｓｆ５の裏側に位置する素子裏面２ｂである第６面Ｓｆ６と、を有している。また、第３太陽電池素子２３は、例えば、第５面Ｓｆ５と第６面Ｓｆ６とを接続していており且つ第２方向（ここでは、−Ｙ方向）の側（ここでは、−Ｙ側）に位置している端面（第４端面ともいう）ＥＳ４を有している。第１の実施形態では、第３太陽電池素子２３は、第５面Ｓｆ５と第６面Ｓｆ６とを接続している４つの端面を有している。該４つの端面は、例えば、第１方向（ここでは、＋Ｙ方向）に沿って延びている状態で位置する一対の端面と、第１方向に直交する＋Ｘ方向に沿って延びている状態で位置する一対の端面と、によって構成される。より具体的には、該４つの端面には、第３太陽電池素子２３において、＋Ｘ側において＋Ｙ方向に沿って延びている状態で位置する端面と、−Ｘ側において＋Ｙ方向に沿って延びている状態で位置する端面と、＋Ｙ側において＋Ｘ方向に沿って延びている状態で位置する端面と、−Ｙ側において＋Ｘ方向に沿って延びている状態で位置する端面と、が含まれる。
【００５７】
第２太陽電池素子２２と第３太陽電池素子２３との間においては、例えば、第２太陽電池素子２２の第５領域ＡＲ５と、第３太陽電池素子２３の第６領域ＡＲ６とが、２本の第２配線材８２を挟んでいる状態で重なっている。ここで、第５領域ＡＲ５は、第３面Ｓｆ３において第３端面ＥＳ３に沿って位置している。第６領域ＡＲ６は、第６面Ｓｆ６において第４端面ＥＳ４に沿って位置している。第１の実施形態では、第５領域ＡＲ５は、第３端面ＥＳ３から第２方向（−Ｙ方向）において第２の幅を有しており、第３端面ＥＳ３に沿って第３面Ｓｆ３の−Ｘ側の端部から＋Ｘ側の端部に至るまで延びている状態で位置している。また、第６領域ＡＲ６は、第４端面ＥＳ４から第１方向（＋Ｙ方向）において第２の幅を有しており、第４端面ＥＳ４に沿って第６面Ｓｆ６の−Ｘ側の端部から＋Ｘ側の端部に至るまで延びている状態で位置している。第２の幅は、上記第１の幅と同様に、例えば、数ｍｍ以上で且つ２０ｍｍ以下に設定され得る。
【００５８】
また、図９の例では、第１配線材８１の第３部分Ｐ３が、第２太陽電池素子２２の第４面Ｓｆ４において第４領域ＡＲ４から第７領域ＡＲ７まで延びている状態で位置している。該第７領域ＡＲ７は、第２太陽電池素子２２において第５領域ＡＲ５の裏側に位置している領域である。このような構成が採用されれば、例えば、隣接する第１太陽電池素子２１および第２太陽電池素子２２のうちの他の太陽電池素子２とは重なっていない領域のより広範囲にわたって、第１配線材８１が接合され得る。具体的には、例えば、第２太陽電池素子２２のうちのより多くの裏面側バスバー電極２ｉに対して、第１配線材８１が接合され得る。その結果、第２太陽電池素子２２における集電が効率良く行われ得る。
【００５９】
例えば、第１配線材８１の第３部分Ｐ３が、第２太陽電池素子２２の第４面Ｓｆ４において第４領域ＡＲ４に接合されているものの、第７領域ＡＲ７までは延びている状態で位置していない態様が採用されてもよい。但し、例えば、第１配線材８１の第３部分Ｐ３が、第２太陽電池素子２２の第４面Ｓｆ４のうちのより多くの裏面側バスバー電極２ｉに接合されていれば、第２太陽電池素子２２における集電が効率良く行われ得る。また、例えば、第１配線材８１の第１部分Ｐ１が、第１太陽電池素子２１の第１面Ｓｆ１において表面側バスバー電極２ｈに対してより広範囲にわたって接合されていれば、第１太陽電池素子２１における集電が効率良く行われ得る。
【００６０】
第１配線材８１と同様に、例えば、第２配線材８２が、第２太陽電池素子２２の第３面Ｓｆ３において表面側バスバー電極２ｈに対してより広範囲にわたって接合されていれば、第２太陽電池素子２２における集電が効率良く行われ得る。また、例えば、第２配線材８２が、第３太陽電池素子２３の第６面Ｓｆ６においてより多くの裏面側バスバー電極２ｉに接合されていれば、第３太陽電池素子２３における集電が効率良く行われ得る。さらに、例えば、第３配線材８３が、第３太陽電池素子２３の第５面Ｓｆ５において表面側バスバー電極２ｈに対してより広範囲にわたって接合されていれば、第３太陽電池素子２３における集電が効率良く行われ得る。
【００６１】
＜１−１−４．シート部材＞
シート部材６は、裏面側封止材４ｂを保護することができる。該シート部材６は、太陽電池モジュール１の−Ｚ側の裏面（非受光面）１ｂ側から、複数の太陽電池ストリング５を覆うように位置している。具体的には、シート部材６は、裏面側封止材４ｂを介して素子裏面２ｂ側から複数の太陽電池ストリング５を覆うように位置している。シート部材６は、例えば、透光性基板３よりも薄く、透光性基板３よりも小さな弾性係数を有する。シート部材６の材料としては、例えば、ポリビニルフルオライド（ＰＶＦ）、ポリエチレンテレフタレート（ＰＥＴ）、ポリエチレンナフタレート（ＰＥＮ）、あるいはこれらの２種以上が積層された軟質の樹脂製のシートなどが採用され得る。
【００６２】
＜１−２．太陽電池モジュールの製造＞
次に、太陽電池モジュール１の製造方法の一例について説明する。
【００６３】
太陽電池モジュール１は、例えば、図１７で示されるように、第１工程ＳＴ１、第２工程ＳＴ２および第３工程ＳＴ３が順に実行されることで、製造され得る。
【００６４】
例えば、第１工程ＳＴ１では、配線材８が製作される。ここでは、例えば、直線状の金属線に対して、所望のピッチでの切断と、曲げ加工と、はんだの被覆と、が施されることで、配線材８（図１０および図１１）が製作され得る。
【００６５】
第２工程ＳＴ２では、太陽電池ストリング５が製作される。ここでは、例えば、図１８で示されるように、第１太陽電池素子２１から第４太陽電池素子２４の表裏面に対する配線材８のはんだ付けが順に行われることで、太陽電池ストリング５が製作され得る。このとき、各太陽電池素子２に対する配線材８のはんだ付けによる接合は、例えば、昇温された１本のはんだ鏝を、接合対象物上に位置する配線材８上において摺り動かすことで、実現され得る。また、例えば、一定間隔で位置しており且つ昇温された複数のはんだごてによって配線材８が押圧されることで、各太陽電池素子２に対する配線材８のはんだ付けによる接合が実現されてもよい。
【００６６】
第３工程ＳＴ３では、図１８で示されるように、透光性基板３、表面側封止材４ｕ、複数の太陽電池ストリング５、裏面側封止材４ｂおよびシート部材６が、ここで記載した順に重ねられる。そして、透光性基板３、表面側封止材４ｕ、複数の太陽電池ストリング５、裏面側封止材４ｂおよびシート部材６が、ラミネート装置（ラミネータ）によるラミネート工程などによって、一体化される。これにより、図３で示された太陽電池モジュール１が製作され得る。
【００６７】
＜１−３．第１の実施形態のまとめ＞
第１の実施形態に係る太陽電池モジュール１では、例えば、隣接する太陽電池素子２の一部同士が重ねられている。このような構成が採用されれば、例えば、受光面１ｕの全領域の面積に対する、太陽電池素子２において有効に発電が行われる発電領域が占める面積の比率が高まり得る。これにより、例えば、太陽電池モジュール１において入射した光のエネルギーのうち電気エネルギーに変換される割合を示す変換効率が向上し得る。また、例えば、隣接する太陽電池素子２の重なり合っていない領域に配線材８が電気的に接続されていれば、太陽電池素子２における素子表面２ｕおよび素子裏面２ｂにおいて集めた電荷の通る導電部の断面積が大きくなる。これにより、太陽電池素子２における電荷の取り出しが補助され得る。その結果、例えば、太陽電池モジュール１における出力が向上し得る。
【００６８】
そして、第１の実施形態に係る太陽電池モジュール１は、例えば、隣接する太陽電池素子２の重なり合っている部分で、配線材８が、何れの太陽電池素子２にも接合しておらず且つ第１方向（＋Ｙ方向）に交差している状態で位置している非接合部ＡＣ２を有している。このような構成が採用されれば、例えば、太陽電池素子２および配線材８などの熱膨張および熱収縮に応じて、配線材８が非接合部ＡＣ２において変形することができる。これにより、例えば、温度の変化に応じて太陽電池素子２ならびに配線材８などが熱膨張および熱収縮を生じても、太陽電池素子２と配線材８とが接合している部分において、せん断応力の集中が生じ難い。その結果、例えば、配線材８および太陽電池素子２におけるクラックの発生、ならびに配線材８が接合された表面側バスバー電極２ｈおよび裏面側バスバー電極２ｉの剥離などが生じ難い。すなわち、太陽電池モジュール１における変換効率および信頼性が高められ得る。
【００６９】
つまり、ここでは、例えば、配線材８の形状と、該配線材８が太陽電池素子２に対して電気的に接続されている領域とが適宜調整されることで、太陽電池モジュール１における変換効率および信頼性が容易に高められ得る。
【００７０】
＜２．他の実施形態＞
本開示は上記の第１の実施形態に限定されるものではなく、本開示の要旨を逸脱しない範囲において種々の変更、改良などが可能である。
【００７１】
＜２−１．第２の実施形態＞
上記第１の実施形態に係る太陽電池モジュール１において、例えば、図１９および図２０で示されるように、非接合部ＡＣ２が、第１面Ｓｆ１および第４面Ｓｆ４に対して交差する面（交差面とも言う）上で曲がっている曲がり部ＣＰ２を有するように構成されてもよい。図１９および図２０の例では、交差面は、第１面Ｓｆ１および第４面Ｓｆ４の双方に対して垂直であり且つ第１方向（＋Ｙ方向）に沿った仮想的な面である。
【００７２】
このような構成が採用されても、例えば、図２１および図２２で示されるように、太陽電池素子２および配線材８などの熱膨張および熱収縮に応じて、配線材８が非接合部ＡＣ２において変形することができる。これにより、例えば、温度の変化に応じて太陽電池素子２ならびに配線材８などが熱膨張および熱収縮を生じても、太陽電池素子２と配線材８とが接合している部分において、せん断応力の集中が生じ難い。したがって、上記第１の実施形態と同様に、太陽電池モジュール１における変換効率および信頼性が高められ得る。
【００７３】
上記構成を有する配線材８は、例えば、線状または帯状の素材の曲げ加工などによって製作され得る。例えば、薄い帯状の素材の曲げ加工などが採用されれば、配線材８が容易に製作され得る。
【００７４】
＜２−２．第３の実施形態＞
上記第１の実施形態および上記第２の実施形態では、−Ｚ側および＋Ｚ側から太陽電池モジュール１を平面透視した場合に、各配線材８における第１部分Ｐ１と第３部分Ｐ３とが一直線上に延びている状態で位置していたが、これに限られない。
【００７５】
例えば、図２３で示されるように、上記第１の実施形態に係る太陽電池素子２が、太陽電池素子２Ａに変更されてもよい。太陽電池素子２Ａは、太陽電池素子２がベースとされて、−Ｚ側および＋Ｚ側から平面透視された場合に、裏面側バスバー電極２ｉの位置が、半導体基板２ｓを挟んだ表面側バスバー電極２ｈの裏側の領域からずらされた構成を有する。この場合には、例えば、図２４から図２６で示されるように、第１の実施形態に係る配線材８は、配線材８Ａに変更される。配線材８Ａは、配線材８がベースとされて、該配線材８が延びている状態で位置している形態が変更されたものである。例えば、配線材８Ａは、第１の実施形態に係る配線材８のうちの第２部分Ｐ２が形状の異なる第２部分Ｐ２Ａに変更されたものである。配線材８Ａでは、第１部分Ｐ１が第１方向（＋Ｙ方向）に延びる一直線上に沿って位置し且つ第３部分Ｐ３が該一直線上からずれて位置し、第２部分Ｐ２Ａが第１方向に対して交差する方向に延びている状態で位置している部分（交差部ともいう）ＳＰ２を有している。上記変更により、例えば、第１太陽電池素子２１および第２太陽電池素子２２は、第１太陽電池素子２１Ａおよび第２太陽電池素子２２Ａに変更され、第１配線材８１は、第１配線材８１Ａに変更される。
【００７６】
図２３から図２６の例では、第１太陽電池素子２１Ａが、第１側面ＳＳ１と、第２側面ＳＳ２と、を有している。第１側面ＳＳ１は、第１面Ｓｆ１と第２面Ｓｆ２とを接続しており且つ第１方向（＋Ｙ方向）に沿って位置している。第２側面ＳＳ２は、第１面Ｓｆ１と第２面Ｓｆ２とを接続しており且つ第１側面ＳＳ１の裏側に位置している。また、第２太陽電池素子２２Ａが、第３側面ＳＳ３と、第４側面ＳＳ４とを有している。第３側面ＳＳ３は、第３面Ｓｆ３と第４面Ｓｆ４とを接続しており且つ第１方向（＋Ｙ方向）に沿って位置している。第４側面ＳＳ４は、第３面Ｓｆ３と第４面Ｓｆ４とを接続しており且つ第３側面ＳＳ３の裏側に位置している。
【００７７】
各側面は、より具体的には、例えば以下のような構成でもよい。第１側面ＳＳ１は、第１太陽電池素子２１Ａの−Ｘ側において第１方向に沿って位置する側面である。第２側面ＳＳ２は、第１太陽電池素子２１Ａの＋Ｘ側において第１方向に沿って位置する側面である。第３側面ＳＳ３は、第２太陽電池素子２２Ａの−Ｘ側において第１方向に沿って位置する側面である。第４側面ＳＳ４は、第２太陽電池素子２２Ａの＋Ｘ側において第１方向に沿って位置する側面である。
【００７８】
ここで、第１太陽電池素子２１Ａを第１面Ｓｆ１または第２面Ｓｆ２側から平面視したときに、第１側面ＳＳ１と第２側面ＳＳ２との中間に位置する仮想的な線を第１中間線Ｌｈ１とする。また、第１中間線Ｌｈ１と第１側面ＳＳ１との中間に位置する仮想的な線を第１の４半分線Ｌｑ１とする。さらに、第１中間線Ｌｈ１と第２側面ＳＳ２との中間に位置する仮想的な線を第２の４半分線Ｌｑ２とする。より具体的には、例えば以下の仮想的な条件を設定する。第１太陽電池素子２１Ａの＋Ｘ方向における幅を幅Ｗ１とし、その幅Ｗ１を４で割った距離を距離Ｗ２とする。この場合には、第１側面ＳＳ１と第１の４半分線Ｌｑ１とが、平行であり且つ距離Ｗ２離れている。また、第２側面ＳＳ２と第２の４半分線Ｌｑ２とが、平行であり且つ距離Ｗ２離れている。
【００７９】
図２３から図２６の例では、２本の第１配線材８１Ａが、１本目の第１配線材８１１Ａと、２本目の第１配線材８１２Ａと、を含んでいる。そして、例えば、第１太陽電池素子２１Ａを第１面Ｓｆ１側から平面視したときに、１本目の第１配線材８１１Ａの第１部分Ｐ１が、第１の４半分線Ｌｑ１に沿って位置している。ここでは、例えば、１本目の第１配線材８１１Ａの第１部分Ｐ１が、第１の４半分線Ｌｑ１に重なるように位置してよい。また、２本目の第１配線材８１２Ａの第１部分Ｐ１が、第２の４半分線Ｌｑ２に沿って位置している。ここでは、例えば、２本目の第１配線材８１２Ａの第１部分Ｐ１が、第２の４半分線Ｌｑ２に重なるように位置してよい。ここで、仮に第１面Ｓｆ１を第１中間線Ｌｈ１の位置で２つの領域に二等分すると、１本目の第１配線材８１１Ａの第１部分Ｐ１が、第１面Ｓｆ１の−Ｘ側の領域の幅方向（＋Ｘ方向）の中央に位置する。また、２本目の第１配線材８１２Ａの第１部分Ｐ１が、第１面Ｓｆ１の＋Ｘ側の領域の幅方向（＋Ｘ方向）の中央に位置する。このため、例えば、第１太陽電池素子２１Ａでは、第１面Ｓｆ１において、２本の配線材８Ａによってムラなく均等な集電が行われ得る。
【００８０】
ここで、例えば、第２太陽電池素子２２Ａを第３面Ｓｆ３または第４面Ｓｆ４側から平面視したときに、第３側面ＳＳ３と第４側面ＳＳ４との中間に位置する仮想的な線を第２中間線Ｌｈ２とする。また、例えば、第２中間線Ｌｈ２と第３側面ＳＳ３との中間に位置する仮想的な線を第３の４半分線Ｌｑ３とする。さらに、例えば、第２中間線Ｌｈ２と第４側面ＳＳ４との中間に位置する仮想的な線を第４の４半分線Ｌｑ４とする。より具体的には、例えば以下の仮想的な条件を設定する。第２太陽電池素子２２Ａの＋Ｘ方向における幅を幅Ｗ１とし、その幅Ｗ１を４で割った距離を距離Ｗ２とする。この場合には、第３側面ＳＳ３と第３の４半分線Ｌｑ３とが、平行であり且つ距離Ｗ２離れている。また、第４側面ＳＳ４と第４の４半分線Ｌｑ４とが、平行であり且つ距離Ｗ２離れている。また、この場合には、図２３から図２６の例では、第１の４半分線Ｌｑ１と第３の４半分線Ｌｑ３とが一直線上に位置しているとともに、第２の４半分線Ｌｑ２と第４の４半分線Ｌｑ４とが一直線上に位置している。
【００８１】
図２３から図２６の例では、第２太陽電池素子２２Ａを第４面Ｓｆ４側から平面視したときに、１本目の第１配線材８１１Ａの第３部分Ｐ３が、第３の４半分線Ｌｑ３から第３側面ＳＳ３側に距離Ｄ１ずれて位置する仮想的な第１Ａ仮想線Ｌ１Ａに沿って位置している。ここでは、例えば、１本目の第１配線材８１１Ａの第３部分Ｐ３が、第１Ａ仮想線Ｌ１Ａに重なるように位置してよい。また、例えば、２本目の第１配線材８１２Ａの第３部分Ｐ３が、第４の４半分線Ｌｑ４から第４側面ＳＳ４側に距離Ｄ２ずれて位置する仮想的な第２Ａ仮想線Ｌ２Ａに沿って位置している。ここでは、例えば、２本目の第１配線材８１２Ａの第３部分Ｐ３が、第２Ａ仮想線Ｌ２Ａに重なるように位置してよい。この場合には、例えば、−Ｘ側の裏面側バスバー電極（１列目の裏面側バスバー電極ともいう）２ｉは、第１Ａ仮想線Ｌ１Ａに沿って位置している。ここでは、例えば、１列目の裏面側バスバー電極２ｉは、該１列目の裏面側バスバー電極２ｉの短手方向の中心を仮想的に結ぶ中心線が第１Ａ仮想線Ｌ１Ａに合致するように位置してよい。また、例えば、＋Ｘ側の裏面側バスバー電極（２列目の裏面側バスバー電極ともいう）２ｉは、第２Ａ仮想線Ｌ２Ａに沿って位置している。ここでは、例えば、２列目の裏面側バスバー電極２ｉは、該２列目の裏面側バスバー電極２ｉの短手方向の中心を仮想的に結ぶ中心線が第２Ａ仮想線Ｌ２Ａに合致するように位置してよい。距離Ｄ１と距離Ｄ２とは、同一であっても、異なっていてもよい。
【００８２】
ここでは、例えば、第２太陽電池素子２２Ａにおいて、素子裏面２ｂの広範囲にわたって導電性を有する集電電極２ｋが位置している。このため、第２太陽電池素子２２Ａでは、例えば、裏面側バスバー電極２ｉの位置が、第３および第４の４半分線Ｌｑ３，Ｌｑ４からずれていても、第４面Ｓｆ４における集電の効率が低下し難い。このため、各太陽電池素子２Ａでは、素子表面２ｕにおいて、２本の配線材８Ａによってムラなく均等な集電が行われれば、太陽電池素子２Ａにおける集電が効率良く行われ得る。
【００８３】
図２３から図２６の例では、１本の第１配線材８１Ａにおける第１部分Ｐ１と第３部分Ｐ３とが一直線上に位置しておらず、第２部分Ｐ２Ａの非接合部ＡＣ２には、１つ目の曲がり部（第１曲がり部ともいう）ＣＰ２１と、交差部ＳＰ２と、２つ目の曲がり部（第２曲がり部とも言う）ＣＰ２２と、が含まれている。第１曲がり部ＣＰ２１と、交差部ＳＰ２と、第２曲がり部ＣＰ２２と、はここで記載した順に連結されている。第１曲がり部ＣＰ２１は、例えば、第１部分Ｐ１と交差部ＳＰ２とを連結している。第２曲がり部ＣＰ２２は、例えば、交差部ＳＰ２と、第３部分Ｐ３とを連結している。このような構成が採用されれば、例えば、太陽電池素子２Ａおよび配線材８Ａなどの熱膨張および熱収縮に応じて、配線材８Ａは非接合部ＡＣ２において変形することができる。このため、例えば、温度の変化に応じて太陽電池素子２Ａならびに配線材８Ａなどが熱膨張および熱収縮を生じても、太陽電池素子２Ａと配線材８Ａとが接合している部分において、せん断応力の集中が生じ難い。したがって、上記各実施形態と同様に、太陽電池モジュール１における変換効率および信頼性が高められ得る。
【００８４】
ところで、上記第１の実施形態では、図１０で示されたように、例えば、配線材８１において、第１部分Ｐ１と第３部分Ｐ３とが一直線上に位置していた。そして、例えば、第２部分Ｐ２が、該一直線上から離れる方向に延びている状態で位置している部分と、該一直線上に戻る方向に延びている状態で位置している部分とを有していた。これに対して、第３の実施形態では、例えば、第１部分Ｐ１と第３部分Ｐ３とが一直線上に位置していない。そして、例えば、第２部分Ｐ２Ａは、該一直線上から離れる方向に延びている状態で位置している交差部ＳＰ２を有している。このため、例えば、１本の配線材８Ａにおける第１部分Ｐ１と第３部分Ｐ３とが一直線上に位置していなければ、第１部分Ｐ１と第３部分Ｐ３とを連結する第２部分Ｐ２Ａの形状の簡略化が図られ得る。この場合には、例えば、第２部分Ｐ２Ａの長さの短縮によって配線材８Ａの作製に要する素材の使用量の低減を図ることが可能である。すなわち、例えば、配線材８Ａを容易に製作することができる。
【００８５】
したがって、第３の実施形態では、例えば、配線材８Ａを容易に製作することができるとともに、太陽電池モジュール１における変換効率および信頼性を高めることができる。
【００８６】
交差部ＳＰ２は、例えば、図２６で示されるように、第１方向（＋Ｙ方向）に沿った仮想線に対して９０度未満の角度を成すように交差していてもよいし、図２７で示されるように、第１方向（＋Ｙ方向）に沿った仮想線に対して直交していてもよい。例えば、交差部ＳＰ２は、第１方向（＋Ｙ方向）に沿った仮想線に対して任意の角度を成すように形成されてもよい。また、図２８および図２９で示されるように、例えば、長手方向に直交する面で切断した断面が長方形状である配線材８Ａが採用されてもよい。つまり、配線材８Ａの形状は、帯状であってもよい。ここでは、例えば、導電性を有する金属製の帯に対して、ロールフォーミングまたは逐次打点曲げなどと称される加工が施されることで、第１および第２曲がり部ＣＰ２１，ＣＰ２２を有する配線材８Ａが製作され得る。また、例えば、導電性を有する金属製の板またはシートに対して、打ち抜き加工が施されることで、第１および第２曲がり部ＣＰ２１，ＣＰ２２を有する配線材８Ａが製作されてもよい。また、図２９で示されるように、例えば、複数の帯状の部分が連結されることで、第１および第２曲がり部ＣＰ２１，ＣＰ２２を有する一本の帯状の配線材８Ａが製作されてもよい。
【００８７】
＜２−３．第４の実施形態＞
上記第３の実施形態では、例えば、第１太陽電池素子２１Ａを第１面Ｓｆ１側から平面視したときに、１本目の第１配線材８１１Ａの第１部分Ｐ１が、第１の４半分線Ｌｑ１に沿って位置し、２本目の第１配線材８１２Ａの第１部分Ｐ１が、第２の４半分線Ｌｑ２に沿って位置していたが、これに限られない。例えば、１本目の第１配線材８１１Ａの第１部分Ｐ１が、第１の４半分線Ｌｑ１からずれて位置してもよいし、２本目の第１配線材８１２Ａの第１部分Ｐ１が、第２の４半分線Ｌｑ２からずれて位置してもよい。
【００８８】
図３０および図３１の例では、−Ｚ側および＋Ｚ側から平面透視された場合に、半導体基板２ｓを挟んで位置する表面側バスバー電極２ｈと裏面側バスバー電極２ｉとが逆方向にそれぞれずれている状態で存在している構成を有している。ここでは、例えば、裏面側バスバー電極２ｉが第３の４半分線Ｌｑ３からずれた方向とは逆の方向に、表面側バスバー電極２ｈが、第１の４半分線Ｌｑ１からずれている状態で位置している。また、例えば、裏面側バスバー電極２ｉが第４の４半分線Ｌｑ４からずれた方向とは逆の方向に、表面側バスバー電極２ｈが、第２の４半分線Ｌｑ２からずれている状態で位置している。具体的には、−Ｘ側の表面側バスバー電極（１本目の表面側バスバー電極ともいう）２ｈが、第１の４半分線Ｌｑ１から第１側面ＳＳ１側に距離Ｄ１１ずれている状態で位置している。また、＋Ｘ側の表面側バスバー電極（２本目の表面側バスバー電極ともいう）２ｈが、第２の４半分線Ｌｑ２から第２側面ＳＳ２側に距離Ｄ１２ずれている状態で位置している。また、−Ｘ側の裏面側バスバー電極（１列目の裏面側バスバー電極）２ｉが、第３の４半分線Ｌｑ３から第３側面ＳＳ３側に距離Ｄ２１ずれている状態で位置している。また、＋Ｘ側の裏面側バスバー電極（２列目の裏面側バスバー電極）２ｉが、第４の４半分線Ｌｑ４から第４側面ＳＳ４側に距離Ｄ２２ずれている状態で位置している。
【００８９】
図３２および図３３の例では、第１太陽電池素子２１Ａを第１面Ｓｆ１側から平面視したときに、１本目の第１配線材８１１Ａの第１部分Ｐ１が、第１Ｂ仮想線Ｌ１１Ｂに沿って位置している。ここでは、例えば、１本目の第１配線材８１１Ａの第１部分Ｐ１が、第１Ｂ仮想線Ｌ１１Ｂに重なるように位置してよい。第１Ｂ仮想線Ｌ１１Ｂは、第１の４半分線Ｌｑ１から第１側面ＳＳ１側に向けた方向（第１ずれ方向ともいう）に距離Ｄ１１ずれて位置している仮想的な線である。ここでは、第１ずれ方向は、−Ｘ方向である。また、例えば、第１太陽電池素子２１Ａを第１面Ｓｆ１側から平面視したときに、２本目の第１配線材８１２Ａの第１部分Ｐ１が、第２Ｂ仮想線Ｌ１２Ｂに沿って位置している。ここでは、例えば、２本目の第１配線材８１２Ａの第１部分Ｐ１が、第２Ｂ仮想線Ｌ１２Ｂに重なるように位置してよい。第２Ｂ仮想線Ｌ１２Ｂは、第２の４半分線Ｌｑ２から第２側面ＳＳ２側に向けた方向（第２ずれ方向ともいう）に距離Ｄ１２ずれている状態で位置している仮想的な線である。ここでは、第２ずれ方向は、＋Ｘ方向である。この場合には、例えば、−Ｘ側の表面側バスバー電極（１本目の表面側バスバー電極）２ｈは、第１Ｂ仮想線Ｌ１１Ｂに沿って位置している。ここでは、例えば、１本目の表面側バスバー電極２ｈは、該１本目の表面側バスバー電極２ｈの短手方向の中心を仮想的に結ぶ中心線が第１Ｂ仮想線Ｌ１１Ｂに合致するように位置してもよい。また、例えば、＋Ｘ側の表面側バスバー電極（２本目の表面側バスバー電極）２ｈは、第２Ｂ仮想線Ｌ１２Ｂに沿って位置している。ここでは、例えば、２本目の表面側バスバー電極２ｈは、該２本目の表面側バスバー電極２ｈの短手方向の中心を仮想的に結ぶ中心線が第２Ｂ仮想線Ｌ１２Ｂに合致するように位置してもよい。距離Ｄ１１と距離Ｄ１２とは、例えば、同一であっても、異なっていてもよい。
【００９０】
また、図３２および図３３の例では、第２太陽電池素子２２Ａを第４面Ｓｆ４側から平面視したときに、１本目の第１配線材８１１Ａの第３部分Ｐ３が、第３Ｂ仮想線Ｌ２１Ｂに沿って位置している。ここでは、例えば、１本目の第１配線材８１１Ａの第３部分Ｐ３が、第３Ｂ仮想線Ｌ２１Ｂに重なっている状態で位置してもよい。第３Ｂ仮想線Ｌ２１Ｂは、第３の４半分線Ｌｑ３を基準として第１ずれ方向（−Ｘ方向）とは逆の方向（第３ずれ方向ともいう）に距離Ｄ２１ずれて位置している仮想的な線である。ここでは、第３ずれ方向は、＋Ｘ方向である。また、例えば、第２太陽電池素子２２Ａを第４面Ｓｆ４側から平面視したときに、２本目の第１配線材８１２Ａの第３部分Ｐ３が、第４Ｂ仮想線Ｌ２２Ｂに沿って位置している。ここでは、例えば、２本目の第１配線材８１２Ａの第３部分Ｐ３が、第４Ｂ仮想線Ｌ２２Ｂに重なっている状態で位置してもよい。第４Ｂ仮想線Ｌ２２Ｂは、第４の４半分線Ｌｑ４を基準として第２ずれ方向（＋Ｘ方向）とは逆の方向（第４ずれ方向ともいう）に距離Ｄ２２ずれて位置している仮想的な線である。ここでは、第４ずれ方向は、−Ｘ方向である。この場合には、例えば、−Ｘ側の裏面側バスバー電極（１列目の裏面側バスバー電極）２ｉは、第３Ｂ仮想線Ｌ２１Ｂに沿って位置している。ここでは、例えば、１列目の裏面側バスバー電極２ｉは、該１列目の裏面側バスバー電極２ｉの短手方向の中心を仮想的に結ぶ中心線が第３Ｂ仮想線Ｌ２１Ｂに合致するように位置してよい。また、例えば、＋Ｘ側の裏面側バスバー電極（２列目の裏面側バスバー電極）２ｉは、第４Ｂ仮想線Ｌ２２Ｂに沿って位置している。ここでは、例えば、２列目の裏面側バスバー電極２ｉは、該２列目の裏面側バスバー電極２ｉの短手方向の中心を仮想的に結ぶ中心線が第４Ｂ仮想線Ｌ２２Ｂに合致するように位置してよい。距離Ｄ２１と距離Ｄ２２とは、例えば、同一であっても、異なっていてもよい。
【００９１】
以上のように、第４の実施形態では、上記第３の実施形態と同様に、例えば、第１部分Ｐ１と第３部分Ｐ３とが一直線上に位置しておらず、例えば、第２部分Ｐ２Ａは、該一直線上から離れる方向に延びている状態で位置している交差部ＳＰ２を有している。このため、例えば、第２部分Ｐ２Ａの形状の簡略化を図ることが可能である。このとき、例えば、第２部分Ｐ２Ａの長さの短縮によって配線材８Ａの作製に要する素材の使用量の低減を図ることが可能である。すなわち、例えば、配線材８Ａを容易に製作することができるとともに、太陽電池モジュール１における変換効率および信頼性を高めることができる。
【００９２】
第４の実施形態では、例えば、第１面Ｓｆ１および第３面Ｓｆ３が受光面１ｕ側に位置し且つ第２面Ｓｆ２および第４面Ｓｆ４が非受光面１ｂ側に位置しているとともに、第１面Ｓｆ１から第４面Ｓｆ４のそれぞれが同様な電極の構成を有していてもよい。例えば、第４面Ｓｆ４において、集電電極２ｋの代わりに複数のフィンガー電極２ｊが位置しており、表面側バスバー電極２ｈが表面側バスバー電極２ｈと同様な構成を有していてもよい。このとき、第１ずれ方向と第３ずれ方向とが反対方向であり、第２ずれ方向と第４ずれ方向が反対方向であれば、第１面Ｓｆ１における配線材８Ａによる集電の効率と、第４面Ｓｆ４における配線材８Ａによる集電の効率とが、同様なものとなり得る。このため、例えば、太陽電池素子２Ａにおける集電の効率が低下し難くなり、第１部分Ｐ１と第３部分Ｐ３とを一直線上の位置からずらすことが可能である。したがって、例えば、太陽電池素子２Ａにおける集電の効率が低下し難く、配線材８Ａを容易に製作することができる。
【００９３】
さらに、ここで、例えば、距離Ｄ１１と距離Ｄ２１とが同一であれば、第１面Ｓｆ１および第４面Ｓｆ４における配線材８Ａによる集電の効率が同様なものとなり得る。また、ここで、例えば、距離Ｄ１２と距離Ｄ２２とが同一であれば、第１面Ｓｆ１および第４面Ｓｆ４における配線材８Ａによる集電の効率が同様なものとなり得る。その結果、例えば、第１部分Ｐ１と第３部分Ｐ３とを一直線上の位置からずらしても、太陽電池素子２Ａにおける集電の効率が低下し難い。したがって、例えば、太陽電池素子２Ａにおける集電の効率が低下し難く、配線材８Ａを容易に製作することができる。
【００９４】
＜３．その他の実施形態＞
例えば、上記第１および第２の実施形態では、隣接する太陽電池素子２どうしが、１本の配線材８で電気的に接続されてもよいし、３本以上の配線材８で電気的に接続されてもよい。すなわち、隣接する太陽電池素子２どうしが、１本以上の配線材８で電気的に接続されている構成が採用され得る。この場合には、例えば、各太陽電池素子２が、配線材８の本数に合わせて、１本以上の表面側バスバー電極２ｈと、１列以上の裏面側バスバー電極２ｉと、を有する構成が採用され得る。
【００９５】
上記各実施形態では、例えば、表面側バスバー電極２ｈおよび裏面側バスバー電極２ｉの少なくとも一方の電極が、第１方向（＋Ｙ方向）に対して若干傾いた方向に沿って位置していてもよい。
【００９６】
上記各実施形態では、例えば、配線材８，８Ａの第１部分Ｐ１および第３部分Ｐ３の少なくとも一方の部分が、第１方向（＋Ｙ方向）に対して若干傾いた方向に沿って位置していてもよい。
【００９７】
上記各実施形態では、例えば、素子表面２ｕにおいて、表面側バスバー電極２ｈが省略され、複数のフィンガー電極２ｊに対して配線材８，８Ａが電気的に接続されてもよい。また、例えば、素子裏面２ｂにおいて、裏面側バスバー電極２ｉが省略され、集電電極２ｋに対して配線材８，８Ａが電気的に接続されてもよい。さらに、例えば、素子裏面２ｂにおいて、裏面側バスバー電極２ｉおよび集電電極２ｋの代わりに複数のフィンガー電極２ｊが位置している状態で、該複数のフィンガー電極２ｊに対して配線材８，８Ａが電気的に接続されてもよい。
【００９８】
上記各実施形態では、例えば、半導体基板２ｓの素子表面２ｕ側において、複数のフィンガー電極２ｊの代わりに、透明な電極の層が位置していてもよい。透明な電極の層としては、例えば、ＩＴＯ（スズ添加酸化インジウム）の層が採用され得る。この場合、例えば、超音波はんだ付けによって、透明な電極上に配線材８，８Ａをはんだ付けすることが可能である。
【００９９】
上記各実施形態では、例えば、太陽電池ストリング５が、２以上の太陽電池素子２，２Ａを含むものであってもよい。
【０１００】
上記各実施形態では、例えば、太陽電池モジュール１が、１以上の太陽電池ストリング５を含むものであってもよい。
【０１０１】
上記各実施形態では、例えば、非接合部ＡＣ２が、隣接する２つの太陽電池素子２，２Ａが重なり合う部分からはみ出ていてもよいし、はみ出ていなくてもよい。別の観点から言えば、例えば、第２部分Ｐ２，Ｐ２Ａが、隣接する２つの太陽電池素子２，２Ａが重なり合う部分からはみ出ていてもよいし、はみ出ていなくてもよい。さらに別の観点から言えば、例えば、隣接する２つの太陽電池素子２，２Ａが重なり合う部分に、第１部分Ｐ１および第３部分Ｐ３の少なくとも一方が入り込んでいてもよい。
【０１０２】
上記第３の実施形態では、例えば、第１Ａ仮想線Ｌ１Ａは、第３の４半分線Ｌｑ３から第４側面ＳＳ４側に距離Ｄ１ずれていてもよいし、第２Ａ仮想線Ｌ２Ａは、第４の４半分線Ｌｑ４から第３側面ＳＳ３側に距離Ｄ２ずれていてもよい。
【０１０３】
第４の実施形態では、例えば、第１Ｂ仮想線Ｌ１１Ｂが、第１の４半分線Ｌｑ１から第２側面ＳＳ２側に距離Ｄ１１ずれて、第３Ｂ仮想線Ｌ２１Ｂが、第３の４半分線Ｌｑ３から第３側面ＳＳ３側に距離Ｄ２１ずれていてもよい。また、例えば、第２Ｂ仮想線Ｌ１２Ｂが、第２の４半分線Ｌｑ２から第１側面ＳＳ１側に距離Ｄ１２ずれて、第４Ｂ仮想線Ｌ２２Ｂが、第４の４半分線Ｌｑ４から第４側面ＳＳ４側に距離Ｄ２２ずれていてもよい。
【０１０４】
上記第３の実施形態および第４の実施形態では、例えば、配線材８Ａにおける第１および第２曲がり部ＣＰ２１，ＣＰ２２が、隣接する２つの太陽電池素子２，２Ａが重なり合う部分からはみ出ていてもよいし、はみ出ていなくてもよい。換言すれば、例えば、配線材８Ａの第１および第２曲がり部ＣＰ２１，ＣＰ２２が、第１領域ＡＲ１と第２領域ＡＲ２との間の領域内に位置していてもよいし、第１領域ＡＲ１と第２領域ＡＲ２との間の領域外に位置していてもよい。つまり、例えば、配線材８Ａの第１曲がり部ＣＰ２１および第２曲がり部ＣＰ２２のうちの少なくとも一方の部分が、第１領域ＡＲ１と第２領域ＡＲ２との間の領域内に位置していてもよいし、第１領域ＡＲ１と第２領域ＡＲ２との間の領域外に位置していてもよい。
【０１０５】
上記第３の実施形態および第４の実施形態では、例えば、非接合部ＡＣ２に、第１曲がり部ＣＰ２１および第２曲がり部ＣＰ２２が含まれていなくてもよい。つまり、例えば、非接合部ＡＣ２に、交差部ＳＰ２が含まれていれば、交差部ＳＰ２の部分において太陽電池素子２Ａおよび配線材８Ａなどの熱膨張に応じて配線材８Ａが変形することが可能である。したがって、例えば、非接合部ＡＣ２が、第１方向（＋Ｙ方向）に沿った仮想線に交差するように位置している交差部ＳＰ２を含んでいれば、太陽電池モジュール１における変換効率および信頼性が高められ得る。そして、非接合部ＡＣ２に、第１曲がり部ＣＰ２１および第２曲がり部ＣＰ２２の少なくとも一方の曲がり部が含まれていれば、該曲がり部において太陽電池素子２Ａおよび配線材８Ａなどの熱膨張および熱収縮に応じて配線材８Ａが変形し易くなる。
【０１０６】
上記各実施形態では、例えば、配線材８は、はんだ付け以外の方法で、太陽電池素子２，２Ａに対して接合されてもよい。はんだ付け以外の方法としては、例えば、導電性を有する金属ペーストの塗布と乾燥と焼成などを利用する方法、および導電性を有する接着剤を用いて接着する方法などが考えられる。
【０１０７】
上記第１の実施形態から第４の実施形態およびその他の実施形態をそれぞれ構成する全部または一部は、適宜、矛盾しない範囲で組み合わせ可能である。
【符号の説明】
【０１０８】
１  太陽電池モジュール
２，２Ａ  太陽電池素子
２１，２１Ａ  第１太陽電池素子
２２，２２Ａ  第２太陽電池素子
２３  第３太陽電池素子
２４  第４太陽電池素子
５  太陽電池ストリング
８，８Ａ  配線材
８１，８１Ａ  第１配線材
８１１Ａ  １本目の第１配線材
８１２Ａ  ２本目の第１配線材
８２  第２配線材
８３  第３配線材
ＡＣ２  非接合部
ＡＲ１  第１領域
ＡＲ２  第２領域
ＡＲ３  第３領域
ＡＲ４  第４領域
ＡＲ５  第５領域
ＡＲ６  第６領域
ＡＲ７  第７領域
ＣＰ２，ＣＰ２１，ＣＰ２２  曲がり部
ＥＳ１  第１端面
ＥＳ２  第２端面
ＥＳ３  第３端面
ＥＳ４  第４端面
Ｌ１１Ｂ  第１Ｂ仮想線
Ｌ１２Ｂ  第２Ｂ仮想線
Ｌ１Ａ  第１Ａ仮想線
Ｌ１Ｂ  第１Ｂ仮想線
Ｌ２１Ｂ  第３Ｂ仮想線
Ｌ２２Ｂ  第４Ｂ仮想線
Ｌ２Ａ  第２Ａ仮想線
Ｌｈ１  第１中間線
Ｌｈ２  第２中間線
Ｌｑ１  第１の４半分線
Ｌｑ２  第２の４半分線
Ｌｑ３  第３の４半分線
Ｌｑ４  第４の４半分線
Ｐ１  第１部分
Ｐ２，Ｐ２Ａ  第２部分
Ｐ３  第３部分
ＳＰ２  交差部
ＳＳ１  第１側面
ＳＳ２  第２側面
ＳＳ３  第３側面
ＳＳ４  第４側面
Ｓｆ１  第１面
Ｓｆ２  第２面
Ｓｆ３  第３面
Ｓｆ４  第４面
Ｓｆ５  第５面
Ｓｆ６  第６面
【図１】
0006646149.tif 000002
【図２】
0006646149.tif 000003
【図３】
0006646149.tif 000004
【図４】
0006646149.tif 000005
【図５】
0006646149.tif 000006
【図６】
0006646149.tif 000007
【図７】
0006646149.tif 000008
【図８】
0006646149.tif 000009
【図９】
0006646149.tif 000010
【図１０】
0006646149.tif 000011
【図１１】
0006646149.tif 000012
【図１２】
0006646149.tif 000013
【図１３】
0006646149.tif 000014
【図１４】
0006646149.tif 000015
【図１５】
0006646149.tif 000016
【図１６】
0006646149.tif 000017
【図１７】
0006646149.tif 000018
【図１８】
0006646149.tif 000019
【図１９】
0006646149.tif 000020
【図２０】
0006646149.tif 000021
【図２１】
0006646149.tif 000022
【図２２】
0006646149.tif 000023
【図２３】
0006646149.tif 000024
【図２４】
0006646149.tif 000025
【図２５】
0006646149.tif 000026
【図２６】
0006646149.tif 000027
【図２７】
0006646149.tif 000028
【図２８】
0006646149.tif 000029
【図２９】
0006646149.tif 000030
【図３０】
0006646149.tif 000031
【図３１】
0006646149.tif 000032
【図３２】
0006646149.tif 000033
【図３３】
0006646149.tif 000034